(57)【要約】      （修正有）【課題】Ｒ冷却終了直後にＦ冷却を開始できる冷蔵庫を提供する。【解決手段】蒸発器３４を有する冷蔵庫において、Ｒ冷却中に冷凍サイクルの圧縮機３０の回転数を、Ｆ冷却中の回転数より上げることにより、Ｒ冷却中の蒸発器温度とＦ冷却中の蒸発器温度を同じ温度にする。また、Ｒ冷却中に、複数のキャピラリーチューブ６０，６２の冷媒の流路を切り替えてＦ冷却中よりも絞ることにより、Ｒ冷却中の蒸発器温度とＦ冷却中の蒸発器温度を同じ温度にする。また、Ｒ冷却中またはＲ，Ｆ同時冷却中の蒸発器用ファン３６の回転数を、Ｆ冷却中の回転数より下げることにより、Ｒ冷却中またはＲ，Ｆ同時冷却中の蒸発器温度と、Ｆ冷却中の蒸発器温度を同じ温度にする。【選択図】図２
2013194981.tif 000002
【特許請求の範囲】
【請求項１】
冷蔵空間と冷却空間に仕切られたキャビネットと、
圧縮機、凝縮器、絞り機構、蒸発器を順次接続した冷凍サイクルと、
前記蒸発器により冷却された冷気を送風するファンと、
前記ファンにより送風された冷気を前記冷蔵空間に流す冷蔵用ダンパと、
前記ファンにより送風された冷気を前記冷凍空間に流す冷凍用ダンパと、
（１）前記冷蔵用ダンパを開状態にして前記冷蔵空間の冷蔵冷却を行うか、（２）前記冷凍用ダンパを開状態にして前記冷凍空間の冷凍冷却を行うか、又は、（３）前記冷蔵用ダンパと前記冷凍用ダンパの両方を開状態にして前記冷蔵空間と前記冷凍空間を同時に冷却する同時冷却を行う制御部と、
を有する冷蔵庫において、
前記制御部は、前記冷蔵冷却中の前記圧縮機の回転数を、前記冷凍冷却中又は前記同時冷却中の前記回転数より上げることにより、前記冷蔵冷却中の前記蒸発器の温度と前記冷凍冷却中又は前記同時冷却中の前記蒸発器の温度とを同じ温度にする、
冷蔵庫。
【請求項２】
冷蔵空間と冷却空間に仕切られたキャビネットと、
圧縮機、凝縮器、絞り機構、蒸発器を順次接続した冷凍サイクルと、
前記蒸発器により冷却された冷気を送風するファンと、
前記ファンにより送風された冷気を前記冷蔵空間に流す冷蔵用ダンパと、
前記ファンにより送風された冷気を前記冷凍空間に流す冷凍用ダンパと、
（１）前記冷蔵用ダンパを開状態にして前記冷蔵空間の冷蔵冷却を行うか、（２）前記冷凍用ダンパを開状態にして前記冷凍空間の冷凍冷却を行う制御部と、
を有する冷蔵庫において、
前記絞り機構は、絞り状態が異なる複数のキャピラリーチューブと、前記複数のキャピラリーチューブの中のいずれかの前記キャピラリーチューブに冷媒の流路を切り替える切替弁とを有し、
前記制御部は、前記冷蔵冷却中に前記冷凍冷却中よりも絞ることにより、前記冷蔵冷却中の前記蒸発器の温度と前記冷凍冷却中の前記蒸発器の温度とを同じ温度にする、
冷蔵庫。
【請求項３】
冷蔵空間と冷却空間に仕切られたキャビネットと、
圧縮機、凝縮器、絞り機構、蒸発器を順次接続した冷凍サイクルと、
前記蒸発器により冷却された冷気を送風するファンと、
前記ファンにより送風された冷気を前記冷蔵空間に流す冷蔵用ダンパと、
前記ファンにより送風された冷気を前記冷凍空間に流す冷凍用ダンパと、
（１）前記冷蔵用ダンパを開状態にして前記冷蔵空間の冷蔵冷却を行うか、（２）前記冷凍用ダンパを開状態にして前記冷凍空間の冷凍冷却を行うか、又は、（３）前記冷蔵用ダンパと前記冷凍用ダンパの両方を開状態にして前記冷蔵空間と前記冷凍空間を同時に冷却する同時冷却を行う制御部と、
を有する冷蔵庫において、
前記制御部は、前記冷蔵冷却中又は前記同時冷却中の前記ファンの回転数を、前記冷凍冷却中の前記回転数より下げることにより、前記冷蔵冷却中又は前記同時冷却中の前記蒸発器の温度と前記冷凍冷却中の前記蒸発器の温度とを同じ温度にする、
冷蔵庫。
【請求項４】
前記制御部は、前記冷蔵冷却中に前記圧縮機の回転数を、前記冷凍冷却中の前記回転数より上げる、
請求項２又は３に記載の冷蔵庫。
【請求項５】
前記絞り機構は、絞り状態が異なる複数のキャピラリーチューブと、前記複数のキャピラリーチューブの中のいずれかの前記キャピラリーチューブに冷媒の流路を切り替える切替弁とを有し、
前記制御部は、前記冷蔵冷却中に前記冷凍冷却中よりも絞る、
請求項３に記載の冷蔵庫。
【請求項６】
前記絞り機構は、絞り状態が異なる複数のキャピラリーチューブと、前記複数のキャピラリーチューブの中のいずれかの前記キャピラリーチューブに冷媒の流路を切り替える切替弁とを有し、
前記制御部は、（１）前記冷蔵冷却中に前記冷凍冷却中よりも絞り、かつ、（２）前記冷蔵冷却中の前記ファンの回転数を、前記冷凍冷却中の前記回転数より下げる、
請求項１に記載の冷蔵庫。
【請求項７】
前記制御部は、前記冷蔵冷却の時間を、前記冷凍冷却の時間より短くする、
請求項１乃至６のいずれか一項に記載の冷蔵庫。
【発明の詳細な説明】
【技術分野】
【０００１】
本実施形態は、冷蔵庫に関するものである。
【背景技術】
【０００２】
従来より、１個の蒸発器で空気を冷却し、ダンパによって冷蔵室又は冷凍室に冷気を送ることにより、庫内を冷却する冷蔵庫がある。このような冷蔵庫において、冷蔵室の冷却（以下、「Ｒ冷却」という）が終了し、冷凍室の冷却（以下、「Ｆ冷却」という）を開始する時に、蒸発器の温度が冷蔵温度に対応して高い。そのため、Ｆ冷却を行うためには、蒸発器から冷気を送るファンを一定時間停止させ、蒸発器の温度を冷凍温度まで下げた後に、ファンを再び回転させる制御方法が提案されている。
【先行技術文献】
【特許文献】
【０００３】
【特許文献１】特開２０１１−５８６８９号公報
【発明の概要】
【発明が解決しようとする課題】
【０００４】
しかし、上記の制御方法ではＦ冷却の開始まで一定時間冷却できない時間が存在する。また、Ｒ冷却の終了時には冷凍室の温度も高いため、蒸発器の温度を下げるための電力も必要となり電力ロスが発生する。
【０００５】
そこで、本発明は、上記問題点に鑑み、Ｒ冷却終了直後にＦ冷却を開始できる冷蔵庫を提供することを目的とする。
【課題を解決するための手段】
【０００６】
本実施形態は、冷蔵空間と冷却空間に仕切られたキャビネットと、圧縮機、凝縮器、絞り機構、蒸発器を順次接続した冷凍サイクルと、前記蒸発器により冷却された冷気を送風するファンと、前記ファンにより送風された冷気を前記冷蔵空間に流す冷蔵用ダンパと、前記ファンにより送風された冷気を前記冷凍空間に流す冷凍用ダンパと、（１）前記冷蔵用ダンパを開状態にして前記冷蔵空間の冷蔵冷却を行うか、（２）前記冷凍用ダンパを開状態にして前記冷凍空間の冷凍冷却を行うか、又は、（３）前記冷蔵用ダンパと前記冷凍用ダンパの両方を開状態にして前記冷蔵空間と前記冷凍空間を同時に冷却する同時冷却を行う制御部と、を有する冷蔵庫において、前記制御部は、前記冷蔵冷却中の前記圧縮機の回転数を、前記冷凍冷却中又は前記同時冷却中の前記回転数より上げることにより、前記冷蔵冷却中の前記蒸発器の温度と前記冷凍冷却中又は前記同時冷却中の前記蒸発器の温度とを同じ温度にする、冷蔵庫である。
【０００７】
また、本実施形態は、冷蔵空間と冷却空間に仕切られたキャビネットと、圧縮機、凝縮器、絞り機構、蒸発器を順次接続した冷凍サイクルと、前記蒸発器により冷却された冷気を送風するファンと、前記ファンにより送風された冷気を前記冷蔵空間に流す冷蔵用ダンパと、前記ファンにより送風された冷気を前記冷凍空間に流す冷凍用ダンパと、（１）前記冷蔵用ダンパを開状態にして前記冷蔵空間の冷蔵冷却を行うか、（２）前記冷凍用ダンパを開状態にして前記冷凍空間の冷凍冷却を行う制御部と、を有する冷蔵庫において、前記絞り機構は、絞り状態が異なる複数のキャピラリーチューブと、前記複数のキャピラリーチューブの中のいずれかの前記キャピラリーチューブに冷媒の流路を切り替える切替弁とを有し、前記制御部は、前記冷蔵冷却中に前記冷凍冷却中よりも絞ることにより、前記冷蔵冷却中の前記蒸発器の温度と前記冷凍冷却中の前記蒸発器の温度とを同じ温度にする、冷蔵庫である。
【０００８】
また、本実施形態は、冷蔵空間と冷却空間に仕切られたキャビネットと、圧縮機、凝縮器、絞り機構、蒸発器を順次接続した冷凍サイクルと、前記蒸発器により冷却された冷気を送風するファンと、前記ファンにより送風された冷気を前記冷蔵空間に流す冷蔵用ダンパと、前記ファンにより送風された冷気を前記冷凍空間に流す冷凍用ダンパと、（１）前記冷蔵用ダンパを開状態にして前記冷蔵空間の冷蔵冷却を行うか、（２）前記冷凍用ダンパを開状態にして前記冷凍空間の冷凍冷却を行うか、又は、（３）前記冷蔵用ダンパと前記冷凍用ダンパの両方を開状態にして前記冷蔵空間と前記冷凍空間を同時に冷却する同時冷却を行う制御部と、を有する冷蔵庫において、前記制御部は、前記冷蔵冷却中又は前記同時冷却中の前記ファンの回転数を、前記冷凍冷却中の前記回転数より下げることにより、前記冷蔵冷却中又は前記同時冷却中の前記蒸発器の温度と前記冷凍冷却中の前記蒸発器の温度とを同じ温度にする、冷蔵庫である。
【図面の簡単な説明】
【０００９】
【図１】実施形態１の冷蔵庫の縦断面図である。
【図２】冷蔵庫の冷凍サイクルの図である。
【図３】冷蔵庫のブロック図である。
【図４】冷却制御方法を示すフローチャートである。
【図５】冷却制御方法を示すタイミングチャートである。
【発明を実施するための形態】
【００１０】
以下、冷蔵庫１０の実施形態について図面に基づいて説明する。
【実施形態１】
【００１１】
実施形態１の冷蔵庫１０について、図１〜図５に基づいて説明する。
【００１２】
（１）冷蔵庫１０の構造
冷蔵庫１０の構造について、図１に基づいて説明する。図１は、冷蔵庫１０の縦断面図である。
【００１３】
冷蔵庫１０のキャビネット１２は、外箱と内箱とより構成され、その間に断熱材が挿入された断熱構造である。キャビネット１２は、断熱仕切り体１４によって、上部が冷蔵空間（以下、「Ｒ空間」という）、下部が冷凍空間（以下、「Ｆ空間」という）に仕切られている。キャビネット１２は、上部より冷蔵室２０、野菜室２２、製氷室２４を含んだ冷凍室２６とより構成され、冷蔵室２０と野菜室２２とよりＲ空間が構成され、製氷室２４と冷凍室２６とよりＦ空間が構成されている。
【００１４】
冷蔵室２０の前面には、ヒンジにより開閉自在な扉２０ａが設けられ、野菜室２２及び冷凍室２６には引出し式の扉２２ａ、２６ａがそれぞれ設けられている。
【００１５】
冷凍室２６の背面側、すなわちキャビネット１２の背面底部には機械室２８が設けられ、機械室２８には、圧縮機３０などが配置されている。
【００１６】
冷蔵室２０の下部から冷凍室２６の上部にかけての背面には、Ｒ空間とＦ空間とから仕切られた冷却空間３２が設けられている。この冷却空間３２の下部には蒸発器３４が設けられ、上部にはファン３６が設けられている。ファン３６の前方における上部と下部にはそれぞれ冷蔵用ダンパ（以下、「Ｒダンパ」という）３８と冷凍用ダンパ（以下、「Ｆダンパ」という）４０が設けられている。Ｒダンパ３８から上方に向かって冷蔵ダクト４２が設けられ、Ｆダンパ４０の下部から冷凍ダクト４４が設けられている。
【００１７】
冷蔵室２０の背面には、冷蔵室２０の庫内温度を測定するための冷蔵用温度センサ（以下、「Ｒセンサ」という）４６が設けられ、冷凍室２６の背面には冷凍室２６の庫内温度を測定するための冷凍用温度センサ（以下、「Ｆセンサ」という）４８が設けられている。蒸発器３４には、蒸発器温度を測定するための蒸発器用温度センサ（以下、「エバセンサ」という）５０が設けられている。
【００１８】
機械室２８の背面側上部には、この冷蔵庫１０を制御するための制御基板５２が設けられている。
【００１９】
（２）冷凍サイクル５４の構造
次に、冷蔵庫１０の冷凍サイクル５４の構造について図２に基づいて説明する。
【００２０】
冷凍サイクル５４は、圧縮機３０の吐出側から順番に凝縮器５６、切替弁５８が接続されている。切替弁５８の一方の出口には絞りが強いキャピラリーチューブ６０が接続され、他方の出口には絞りが弱いキャピラリーチューブ６２が接続されている。キャピラリーチューブ６０の出口側とキャピラリーチューブ６２の出口側とは一つになり蒸発器３４の入口に接続されている。これらキャピラリーチューブ６０とキャピラリーチューブ６２によって絞り機構が構成されている。蒸発器３４の出口側には、アキュームレータ６４、サクションパイプ６６が接続され、圧縮機３０の吸入側に接続されている。
【００２１】
圧縮機３０は、周波数を変化させることにより回転数を変化する周波数可変型の圧縮機である。切替弁５８は、例えば、三方弁から構成されている。
【００２２】
冷凍サイクル５４の働きについて説明する。冷媒が圧縮機３０で圧縮されて、高温高圧の気体状の冷媒に変化し、凝縮器５６で放熱しながら液体状の冷媒となる。液体状の冷媒は、切替弁５８によってキャピラリーチューブ６０又はキャピラリーチューブ６２に送られ、どちらかのキャピラリーチューブ６０，６２によって気化し易いように減圧され、その後に蒸発器３４で気化し、周囲から熱を奪う。周囲から熱を奪った冷媒は、アキュームレータ６４に流れ、このアキュームレータ６４では気液混合体状の冷媒を気体状の冷媒と液体状の冷媒とにそれぞれ分離し、気体状の冷媒のみがサクションパイプ６６を通って圧縮機３０に戻り、再び圧縮され高温高圧の気体状の冷媒となる。
【００２３】
（３）冷蔵庫１０の電気的構成
次に、冷蔵庫１０の電気的構成について図３のブロック図に基づいて説明する。
【００２４】
冷蔵庫１０の制御を行う制御部６８は、制御基板５２に設けられている。この制御部６８には、ファン３６、Ｒダンパ３８、Ｆダンパ４０、Ｒセンサ４６、Ｆセンサ４８、エバセンサ５０、切替弁５８、圧縮機３０が接続されている。
【００２５】
（４）冷却制御方法
冷蔵庫１０は、冷凍サイクル５４を用いて、Ｒ空間を冷却する冷蔵冷却（以下、「Ｒ冷却」という）と、Ｆ空間を冷却する冷凍冷却（以下、「Ｆ冷却」という）を行う。
【００２６】
Ｒ冷却を行う場合には、絞りが強いキャピラリーチューブ６０に冷媒を流すと共に、Ｒダンパ３８を開状態、Ｆダンパ４０を閉状態にして、ファン３６を回転させ、蒸発器３４の冷気をＲ空間にのみ送風する。
【００２７】
Ｆ冷却を行う場合には、絞りが弱いキャピラリーチューブ６２に冷媒を流すと共に、Ｆダクト４４を開状態、Ｒダクト４２を閉状態にして、ファン３６を回転させ、蒸発器３４の冷気をＦ空間にのみ送風する。
【００２８】
以下、Ｒ冷却とＦ冷却を行う制御方法（以下、「冷却制御方法」という）について図４のフローチャートと図５のタイミングチャートに基づいて詳しく説明する。
【００２９】
ステップＳ１において、制御部６８は、Ｒセンサ４６の検知温度がＲ冷却ＯＮ温度ＴＲ１以上か否かを判断する。Ｒ冷却ＯＮ温度ＴＲ１以上であればステップＳ２に進み、Ｒ冷却ＯＮ温度ＴＲ１未満であればステップＳ５に進む。
【００３０】
ステップＳ２において、検知温度がＲ冷却ＯＮ温度ＴＲ１以上であるため、制御部６８はＲ冷却を開始すると共に、Ｒ冷却時間の計測を開始する。すなわち、制御部６８は、Ｆダンパ４０は閉状態、Ｒダンパ３８は開状態にして、図５のタイミングチャートに示すように、次の３種類の制御を行う。第１に、圧縮機３０を高速（例えば、３０Ｈｚ）で回転させ、第２に、切替弁５８を切り替えて絞りが強いキャピラリーチューブ６０側に冷媒を流し、第３に、ファン３６は低速（例えば、１００回／分）で回転させる。これによって、エバセンサ５０が検知する蒸発器温度は、−２５℃より上昇せず、Ｒ空間が冷却されて庫内温度が次第に下がる。一方、Ｆ空間の温度が次第に上昇する。そしてステップＳ３に進む。
【００３１】
ステップＳ３において、制御部６８がＲセンサ４６の検知温度がＲ冷却ＯＦＦ温度ＴＲ２以上であるか否かを判断し、Ｒ冷却ＯＦＦ温度ＴＲ２以上であればステップＳ４に進み、Ｒ冷却ＯＦＦ温度ＴＲ２未満であればＲ空間は十分に冷却されたとしてステップＳ５に進む。
【００３２】
ステップＳ４において、制御部６８は、計測時間が予め定めたＲ冷却時間に到達していればステップＳ５に進み、到達していなければステップＳ２に戻る。このＲ冷却時間を設けるのは、扉２６ａの開閉などによりＲ冷却ＯＦＦ温度ＴＲ２に到達しない場合であっても、Ｆ空間の庫内温度が上昇しているため強制的にＦ冷却に切り替えるためである。
【００３３】
ステップＳ５において、制御部６８が、Ｆセンサ４８の検知温度がＦ冷却ＯＮ温度ＴＦ１以上か否かを判断し、Ｆ冷却ＯＮ温度ＴＦ１以上であればステップＳ６に進み、Ｆ冷却ＯＮ温度ＴＦ１未満であれば冷却を停止する。
【００３４】
ステップＳ６において、制御部６８はＦ冷却を開始すると共に、Ｆ冷却時間の計測を開始する。すなわち、制御部６８は、Ｆダンパ４０は開状態、Ｒダンパ３８は閉状態にして、図５のタイミングチャートに示すように、次の３種類の制御を行う。第１に、圧縮機３０の回転数をＲ冷却時よりも低速（例えば、２０Ｈｚ）にし、第２に、切替弁５８を切り替えて絞りが弱いキャピラリーチューブ６２に冷媒を流し、第３に、ファン３６の回転数をＲ冷却時より高速（例えば、３００回／分）にする。これによって、エバセンサ５０が検知する蒸発器温度は、Ｒ冷却時と同じ温度（例えば、−２５℃）を維持し、Ｆ空間が冷却されて庫内温度が次第に下がる。そしてステップＳ７に進む。
【００３５】
ステップＳ７において、制御部６８がＦセンサ４８の検知温度がＦ冷却ＯＦＦ温度ＴＦ２以上か否かを判断し、Ｆ冷却ＯＦＦ温度以上であればステップＳ８に進み、Ｆ冷却ＯＦＮ温度ＴＦ２未満であればＦ空間は十分に冷却されたとしてステップＳ２に戻る。
【００３６】
ステップＳ８において、制御部６８は、計測時間が予め定めたＦ冷却時間に到達していればステップＳ１に戻り、Ｆ冷却時間に到達していなければＦ冷却を行うステップＳ６に戻る。
【００３７】
これにより、蒸発器３４の蒸発器温度がＲ冷却時もＦ冷却時も同じ温度であるため、Ｒ冷却からＦ冷却に切り替えても切り替え時のロスが発生しない。
【００３８】
蒸発器温度が同じ温度になる理由は、次の通りである。
【００３９】
第１に、圧縮機３０の回転数が従来のように一定あれはＲ冷却時に蒸発器温度が上昇してしまうため、Ｒ冷却中はＦ冷却中よりも圧縮機３０の回転数を上げることにより蒸発器温度が上昇するのを防止できる。
【００４０】
第２に、切替弁５８によってＲ冷却中は絞りが強いキャピラリーチューブ６０によって液体状の冷媒が流れるため、冷媒の減圧が大きく気化し易く、蒸発器温度が上昇するのを防止できる。
【００４１】
第３に、ファン３６の回転数をＲ冷却中にはＦ冷却中よりも下げるため、蒸発器温度を同じ温度にできる。
【００４２】
なお、本実施形態における「同じ温度」とは、Ｒ冷却中の蒸発器温度とＦ冷却中の蒸発器温度が全く同じ温度になることに加えて、±２〜３℃の幅の誤差があっても同じ温度とする。
【００４３】
（５）効果
本実施形態によれば、蒸発器温度が、Ｒ冷却中でもＦ冷却中でも同じ温度であるため、Ｒ冷却からＦ冷に切り替えるときに、従来のようなファン３６の回転を止めて蒸発器温度を下げるロスがなく、電力の削減となる。
【００４４】
また、Ｒ冷却中の蒸発器温度が下がることにより、Ｒ空間に送風される冷気の温度が下がり、Ｒ冷却中の運転時間をより短くできる。すなわち、従来よりもＲ冷却ＯＦＦ温度ＴＲ２に早く到達し、Ｆ空間の温度上昇が抑えられ、また、Ｆ冷却時間を長く取ることができる。
【００４５】
また、Ｆ冷却中も蒸発器温度を少しでも上げることで、冷凍サイクル５４のＣＯＰ（Coefficient Of Performance）が高い部分で運転でき、効率が上がり省エネ運転が可能となる。
【００４６】
また、蒸発器温度が低い温度で維持できるため、圧縮機３０の回転数も下がり、省電力に繋がる。
【００４７】
また、Ｒダンパ３８、Ｆダンパ４０は、ファン３６の上流にのみそれぞれ取り付け、吸い込み側にはダンパを設けていない。これは、片側にあれば閉じた方は負圧になるため空気の流入がほぼ無く、閉じた側の空間の温度上昇がほとんど無いために、吹き出し側のみ取り付けている。そのため、必要最小限のダンパで交互冷却を実現できる。
【００４８】
（６）変更例
上記実施形態では、Ｒ冷却中の冷気の温度が下がるためＲ冷却時間を短くして蒸発器温度も上げながら効率を上げて省エネとなるが、この省エネをより確実にするために、Ｒ冷却時間をＦ冷却時間よりも短く設定して、より省エネを実現する。
【実施形態２】
【００４９】
次に、実施形態２の冷蔵庫１０の冷却制御方法について説明する。
【００５０】
実施形態１では、蒸発器温度をＲ冷却中とＦ冷却中で同じ温度にするために、圧縮機３０の回転数、絞り機構の絞り状態、ファンの回転数の３つを制御したが、本実施形態では圧縮機３０の回転数のみ制御する。
【００５１】
すなわち、Ｒ冷却中においては、圧縮機３０の回転数を高速で回転させ、Ｆ冷却中においてはＲ冷却中の回転数よりも低速で回転させる。
【００５２】
本実施形態であっても、Ｒ冷却中とＦ冷却中でも同じ蒸発器温度に制御できる。特に、圧縮機３０の回転数による制御のため、蒸発器温度を大きく変化させる必要がある場合であっても、より確実に、かつ、迅速に変更できる。
【実施形態３】
【００５３】
次に、実施形態３の冷蔵庫１０の冷却制御方法について説明する。
【００５４】
実施形態１では、蒸発器温度をＲ冷却中とＦ冷却中で同じ温度にするために、圧縮機３０の回転数、絞り機構の絞り状態、ファンの回転数の３つを制御したが、本実施形態では切替弁５８によるキャピラリーチューブ６０とキャピラリーチューブ６２の切替えのみで制御する。
【００５５】
すなわち、ヒートリークが少ない冷蔵庫１０であると、Ｒ冷却中では絞りが強いキャピラリーチューブ６０を通して冷媒を送り、Ｆ冷却中では絞りが弱いキャピラリーチューブ６２を通して冷媒を蒸発器３４に送る。
【００５６】
本実施形態であっても、Ｒ冷却中とＦ冷却中でも同じ蒸発器温度に制御できる。特に、切替弁５８による制御であると、圧縮機３０の回転数の変更よりも省エネ運転ができる。
【実施形態４】
【００５７】
次に、実施形態４の冷蔵庫１０の冷却制御方法について説明する。
【００５８】
実施形態１では、蒸発器温度をＲ冷却中とＦ冷却中で同じ温度にするために、圧縮機３０の回転数、絞り機構の絞り状態、ファンの回転数の３つを制御したが、本実施形態ではファン３６のみによって制御を行う。
【００５９】
すなわち、ヒートリークが少ない冷蔵庫１０であると、ファン３６をＲ冷却中では低速で回転させ、Ｆ冷却中ではＲ冷却中よりも高速で回転させことにより、Ｒ冷却中でもＦ冷却中でも蒸発器温度を同じ温度にできる。この冷却制御方法であると応答性もよく、制御し易い方法となると共に、省エネにもなる。
【実施形態５】
【００６０】
次に、実施形態５の冷蔵庫１０の冷却制御方法について説明する。
【００６１】
実施形態１では、蒸発器温度をＲ冷却中とＦ冷却中で同じ温度にするために、圧縮機３０の回転数、絞り機構の絞り状態、ファンの回転数の３つを制御したが、本実施形態では圧縮機３０とキャピラリーチューブ６０，６２の２つを用いて制御を行う。
【００６２】
この冷却制御方法であっても、蒸発器温度を同じ温度にすることができる。
【実施形態６】
【００６３】
次に、実施形態６の冷蔵庫１０の冷却制御方法について説明する。
【００６４】
実施形態１では、蒸発器温度をＲ冷却中とＦ冷却中で同じにするために、圧縮機３０の回転数、絞り機構の絞り状態、ファンの回転数の３つを制御したが、本実施形態では圧縮機３０とファン３６の２つを用いて制御する。
【００６５】
この冷却制御方法であっても、蒸発器温度を同じ温度にすることができる。
【実施形態７】
【００６６】
次に、実施形態７の冷蔵庫１０の冷却制御方法について説明する。
【００６７】
実施形態１では、蒸発器温度をＲ冷却中とＦ冷却中で同じ温度にするために、圧縮機３０の回転数、絞り機構の絞り状態、ファンの回転数の３つを制御したが、本実施形態ではキャピラリーチューブ６０，６２及びファン３６によって制御する。
【００６８】
この冷却制御方法であっても、蒸発器温度を同じ温度にすることができ、かつ、省エネで、応答性がよい。
【実施形態８】
【００６９】
次に、実施形態８の冷蔵庫１０の冷却制御方法について説明する。
【００７０】
実施形態１〜６においては、Ｒ冷却とＦ冷却を交互に行っていたが、本実施形態ではＲ空間とＦ空間を同時に冷却するＲＦ冷却も行う。すなわち、制御部６８は、ＲＦ冷却を行うときは、Ｒダンパ３８とＦダンパ４０の両方を開状態とする。ＲＦ冷却を行う場合に、Ｒ冷却、Ｆ冷却、ＲＦ冷却中に蒸発器温度を同じ温度にする冷却制御方法は次の方法がある。
【００７１】
第１の方法は、ＲＦ冷却中の圧縮機３０の回転数を、Ｆ冷却中の圧縮機３０の回転数よりも上げ、Ｒ冷却中の回転数とほぼ同じにする。
【００７２】
第２の方法は、ＲＦ冷却中のファン３６の回転数を、Ｒ冷却中と同じにすると共に、Ｆ冷却時の回転数よりも低速にする。
【変更例】
【００７３】
上記各実施形態の変更例について説明する。
【００７４】
（１）変更例１
上記各実施形態において、絞り機構は切替弁５８、キャピラリーチューブ６０，６２より構成されたが、これに代えてキャピラリーチューブを１本設け、流路切替え部分を回転体で徐々に締めながら絞り量を強くしたり、また、溝の大きさを回転体で締めながら絞り量を強くする構造を用いてもよい。
【００７５】
（２）変更例２
制御部５２は、エバセンサ５０の蒸発器温度を見ながら圧縮機３０の回転数をＰＩＤ制御してもよい。蒸発器温度の基準は、Ｆ空間の庫内温度より−５℃下げた温度を基準として、予め設定しておいた係数ｋにより圧縮機３０の回転数を可変する。
【００７６】
また、可変できる幅は少ないが、蒸発器温度の基準に対し高ければ絞り機構の絞りを強く、低ければ絞りを弱くするような制御を行ってもよい。
【００７７】
（３）その他
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００７８】
１０・・・冷蔵庫、１６・・・Ｒ空間、１８・・・Ｆ空間、３０・・・圧縮機、３４・・・蒸発器、３６・・・ファン、３８・・・Ｒダンパ、４０・・・Ｆダンパ、５４・・・冷凍サイクル、５８・・・切替弁、６０・・・キャピラリーチューブ、６２・・・キャピラリーチューブ、６８・・・制御部
【図１】
2013194981.tif 000003
【図２】
2013194981.tif 000004
【図３】
2013194981.tif 000005
【図４】
2013194981.tif 000006
【図５】
2013194981.tif 000007